(57)【要約】【課題】一対のコンクリート製構造物の相互の三次元変位に拘わらず耐久性に優れた雨水、地下水の漏出を防ぐことができる接合装置を実現する。【解決手段】一対のコンクリート製構造物間に、防水体を配置し、この防水体は、第１および第２布と連結糸と充填剤とを有し、第１および第２布は、たとえば平織りなどの織物であり、充填剤は、エポキシドを主剤とし、モノアミン系硬化剤とし、端末基をアミン基とし、分子量１０４〜１０５であり、水泡または油泡を分散した低モジュラス塑性のエポキシ樹脂である。【選択図】　　　図１
2004068490.tif 000002
【特許請求の範囲】
【請求項１】
一対のコンクリート製構造物間に介在されるコンクリート製構造物の接合装置において、
（ａ）一方の表面が、一方の前記コンクリート製構造物に当接して固定される弾性を有する第１のシート体と、
（ｂ）一方の表面が、他方の前記コンクリート製構造物に当接して固定される弾性を有する第２のシート体と、
（ｃ）第１シートの他方表面と第２シートの他方表面との間に設けられる防水体であって、
第１シートの前記他方の表面に当接する第１布と、
第２シートの前記他方の表面に当接する第２布と、
第１布と第２布とを、間隙をあけて対向して連結する連結糸と、
連結糸によって連結された第１および第２布間に充填され、水に不溶性であるグリス状合成樹脂から成る充填剤とを有する防水体とを含むことを特徴とするコンクリート製構造物の接合装置。
【請求項２】
第１布は、第１たて糸と第１よこ糸とから成る織布であり、
第２布は、第２たて糸と第２よこ糸とから成る織布であり、
連結糸は、
第１たて糸および第１よこ糸のいずれか一方と、
第２たて糸および第２よこ糸のいずれか一方とに、個別的に沿って、
第１たて糸および第１よこ糸のいずれか他方を１または複数本あけて、
その第１たて糸および第１よこ糸の前記いずれか他方をＵ字状に湾曲し、および
第２たて糸および第２よこ糸のいずれか他方を１または複数本あけて、
その第２たて糸および第２よこ糸の前記いずれか他方をＵ字状に湾曲し、
ジグザグに配置されることを特徴とする請求項１記載のコンクリート製構造物の接合装置。
【請求項３】
充填剤は、
０．０１〜０．０５ｍｍφの水泡を重量比３０〜５０％程度分散させ、
粘度１０５〜１０６ｃｐｓ程度の低モジュラスの塑性を有することを特徴とする請求項１または２記載のコンクリート製構造物の接合装置。
【請求項４】
充填剤は、
エポキシドを主剤とし、モノアミン系硬化剤とし、端末基をアミン基とする
分子量１０４〜１０５であるエポキシ樹脂であることを特徴とする請求項１〜３のうち１つに記載のコンクリート製構造物の接合装置。
【発明の詳細な説明】
【０００１】
【発明の属する技術分野】
本発明は、たとえば山の中のトンネルなどのコンクリート製構造物の継ぎ目から地下水が漏水することを防ぐために好適なコンクリート製構造物の接合装置に関する。
【０００２】
【従来の技術】
コンクリート製構造物であるトンネルには、コンクリート継ぎ目が多く、その継ぎ目から地下水が漏水する。この継ぎ目の防水は、地盤の変動や走行する車両などによる三次元の振動が常に作用するので、防水が困難である。
【０００３】
図２４は、典型的な先行技術の一部の断面図である。既設のコンクリート製構造物１に、新たなコンクリート製構造物２を打設し接続して構築する場合、その継ぎ目である接合部分には、ウレタン樹脂や合成ゴムなどの合成樹脂材料からなるスポンジ状発泡体などから成る接合体３が介在されて一対のコンクリート製構造物１，２間にサンドイッチされる。
【０００４】
図２５は、図２４に示される先行技術の作用状態を示す断面図である。コンクリート製構造物１，２がたとえば不等沈下または地盤の振動などで、図２５の下方４および上方５にそれぞれ変位する。さらにこれらのコンクリート製構造物１，２は、図２５の左右方向６に変位することもある。こうしてコンクリート製構造物１，２が、別々の動きをしたときであっても、接合体３は、雨水、地下水が漏出することを防ぐ必要がある。先行技術では、接合体３には、強大な剪断応力が働き、接合体３自体が破断する結果に至る。
【０００５】
図２６は、図２４および図２５に示される先行技術における作用状態を示す断面図である。前述の図２５に示されるようにコンクリート製構造物１，２に下方４および上方５の外力が作用することによって、コンクリート製構造物１，２と接合体３との接着不良個所が一部でもあれば、その接着不良個所から、参照符７で示されるようにコンクリート製構造物１、さらには接合体３が破断し、次々に剥離してしまう。
【０００６】
接合体３として、前述のスポンジ状発泡体の代りに、柔らかいコーキング剤を充填する先行技術においても、同様に破断することがある。
【０００７】
【発明が解決しようとする課題】
本発明の目的は、一対のコンクリート製構造物の不等沈下または地盤の振動などが生じても、雨水、地下水の漏出を防いで、これらのコンクリート製構造物の変位に追随することができるようにしたコンクリート製構造物の接合装置を提供することである。
【０００８】
【課題を解決するための手段】
本発明は、一対のコンクリート製構造物間に介在されるコンクリート製構造物の接合装置において、
（ａ）一方の表面が、一方の前記コンクリート製構造物に当接して固定される弾性を有する第１のシート体と、
（ｂ）一方の表面が、他方の前記コンクリート製構造物に当接して固定される弾性を有する第２のシート体と、
（ｃ）第１シートの他方表面と第２シートの他方表面との間に設けられる防水体であって、
第１シートの前記他方の表面に当接する第１布と、
第２シートの前記他方の表面に当接する第２布と、
第１布と第２布とを、間隙をあけて対向して連結する連結糸と、
連結糸によって連結された第１および第２布間に充填され、水に不溶性であるグリス状合成樹脂から成る充填剤とを有する防水体とを含むことを特徴とするコンクリート製構造物の接合装置である。
【０００９】
本発明に従えば、一対のコンクリート製構造物間に接合体１３を介在して接合するたとえばエキスパンション装置などと呼ばれるコンクリート製構造物の接合装置では、前記接合体１３は、第１および第２シート１４，１５間に防水体１６が介在されて構成される。第１および第２シート体は、たとえばゴムまたは合成樹脂などの弾性を有する材料から成り、各コンクリート製構造物にそれぞれ当接して固定される。これらの第１および第２シート体は、たとえばウレタン樹脂、合成ゴムなどの合成樹脂材料のスポンジ状発泡体である。
【００１０】
防水体１６は、第１および第２シート間に設けられる。この防水体は、第１および第２布３２，３３が連結糸３４によって間隔をあけて対向して、連結され、水に不溶性であるグリス状合成樹脂から成る充填剤３５を含む。このような充填剤は、たとえば低モジュラスであって、すなわち弾性が零またはほとんど無く、塑性を有する。したがって一対のコンクリート製構造物がたとえば相互に平行に変位したとき、それらのコンクリート製構造物とともに第１および第２シート体、したがって第１および第２布がコンクリート製構造物とともに変位し、これらの第１および第２布間に、連結糸とともに存在する充填剤が変形し、充填剤を含む防水体内に残留応力が生じることなく、充填剤の変形が可能となる。
【００１１】
また本発明は、第１布は、第１たて糸と第１よこ糸とから成る織布であり、
第２布は、第２たて糸と第２よこ糸とから成る織布であり、
連結糸は、
第１たて糸および第１よこ糸のいずれか一方と、
第２たて糸および第２よこ糸のいずれか一方とに、個別的に沿って、
第１たて糸および第１よこ糸のいずれか他方を１または複数本あけて、
その第１たて糸および第１よこ糸の前記いずれか他方をＵ字状に湾曲し、および
第２たて糸および第２よこ糸のいずれか他方を１または複数本あけて、
その第２たて糸および第２よこ糸の前記いずれか他方をＵ字状に湾曲し、
ジグザグに配置されることを特徴とする。
【００１２】
また本発明は、充填剤は、
０．０１〜０．０５ｍｍφの水泡を重量比３０〜５０％程度分散させ、
粘度１０５〜１０６ｃｐｓ程度の低モジュラスの塑性を有することを特徴とする。
【００１３】
本発明に従えば、第１および第２の各布は、たとえば一重織物であって、たとえば平織されて構成される。これらの第１および第２布を上下に合計２枚重ね合わせて、たとえば同時に織り出し、連結糸によってジグザグに連結される。第１および第２布間には、間隔を形成することができ、この間隔に充填剤が配置される。充填剤は、第１および第２布および連結糸に含浸される。このような第１および第２布と連結糸との組合せ構造体は、たとえばビロード原反と呼ぶこともできる。
【００１４】
充填剤は、低粘度の液体の中に細かい水泡を永続的に安定して保持し、低モジュラスであるクリーム状である。この充填剤は、架橋密度が低く、たとえば柔らかいチューインガム状であり、いわばゴムエラストマに近似した物理的特性を有し、内部に細かい水泡が均等に分散されて含む。水泡に代えて、油泡であってもよい。このような水の分散剤としては、サンフレッシュＳＴ１００およびサンフレッシュＳＴ５００（三洋化成（株）社製商品名）が好適する。
【００１５】
また本発明は、充填剤は、
エポキシドを主剤とし、モノアミン系硬化剤とし、端末基をアミン基とする
分子量１０４〜１０５であるエポキシ樹脂であることを特徴とする。
【００１６】
本発明に従えば、充填剤は、低粘度の状態で、前述の第１および第２布間に注入され、充填後、第１および第２布間の充填空間内で、重合反応をさせて、高粘度化する。充填剤の合成物質は、その分子量が比較的容易にコントロールすることができるエポキシ樹脂であって、本発明の実施に最も好ましい。
【００１７】
本発明に従えば、ビスフェノールＡのエポキシを主剤とするエポキシ樹脂の硬化剤は、モノアミン系硬化剤が好ましい。エポキシ樹脂は硬化剤としてジアミンまたはポリアミン（ジエチレントリアミンＤＥＴＡまたはトリエチレンテトラアミンＴＥＴＡ等）が使用される場合、立体構造が形成されるので、柔軟性に乏しく本発明の使用には適さない。本発明では、硬化剤としてモノアミンを使用することによって、ゴムエラストマに近い物性を得ることができる。このような場合、通常なら、生成物の端末にはエポキシ基を配置するのが常識であり、これは端末基にアミン基ができた場合、アミンブラッシュ等が発生し汚染の原因となることを避けるためである。端末基をエポキシ基にした場合、重合反応の折り生ずる内部の三級アミンが、端末エポキシ基の開環重合反応の触媒として作用し、端末で立体構造が形成されるので、柔軟性に富んだ伸び率１００％前後のエポキシ樹脂も数年後にはその伸び率が半減または１／１０以下に低下するという問題がある。本発明の場合、少々のアミンブラッシュの発生は施工上全く問題ない。本発明の場合、端末基をアミン基にすることは重要である。本発明の充填剤は、このような問題を解決し、耐久性に優れる。
【００１８】
本発明の実施の他の形態では、充填剤はアクリル樹脂、ウレタン樹脂、アクリルウレタン共重合樹脂、ポリサルファイド樹脂またはポリエステル樹脂などが、前述のエポキシ樹脂に代えて、使用することができる。
【００１９】
本発明の接合装置は、たとえばトンネルなどにおける常時水に浸された状態で使用され、エポキシ樹脂などの充填剤の内部に分散された水または油が蒸散することはない。
【００２０】
本発明によれば、次の方法によって、一対のコンクリート製構造物の接合を行って、エキスパンション装置を実現することができる。
【００２１】
一対のコンクリート製構造物間に介在されるコンクリート製構造物の接合方法において、
一方の表面が、一方の前記コンクリート製構造物に当接して固定される弾性を有する第１のシート体の他方表面と、
一方の表面が、他方の前記コンクリート製構造物に当接して固定される弾性を有する第２のシート体の他方表面との間に、防水体を設け、
この防水体は、
第１シートの前記他方の表面に当接する第１布と、
第２シートの前記他方の表面に当接する第２布と、
第１布と第２布とを、間隙をあけて対向して連結する連結糸と、
連結糸によって連結された第１および第２布間に充填される充填剤とを有し、
第１布は、第１たて糸と第１よこ糸とから成る織布であり、
第２布は、第２たて糸と第２よこ糸とから成る織布であり、
連結糸は、
第１たて糸および第１よこ糸のいずれか一方と、
第２たて糸および第２よこ糸のいずれか一方とに、個別的に沿って、
第１たて糸および第１よこ糸のいずれか他方を１または複数本あけて、
その第１たて糸および第１よこ糸の前記いずれか他方をＵ字状に湾曲し、および
第２たて糸および第２よこ糸のいずれか他方を１または複数本あけて、
その第２たて糸および第２よこ糸の前記いずれか他方をＵ字状に湾曲し、
ジグザグに配置され、
エポキシドを充填剤の主剤とし、モノアミン系硬化剤として第１および第２布間に同時に分散剤とともに注入し、
端末基をアミン基とする分子量１０４〜１０５であり、０．０１〜０．０５ｍｍφの水泡が重量比３０〜５０％程度分散され、
粘度１０５〜１０６ｃｐｓ程度の低モジュラスの塑性を有するエポキシ樹脂を合成して充填剤とすることを特徴とするコンクリート製構造物の接合方法。
【００２２】
本発明のコンクリート製構造物の接合装置に用いられる防水体を構成する第１および第２布と連結糸とから成る構成は、次のとおりである。
【００２３】
第１布は、第１たて糸と第１よこ糸とから成る織布であり、
第２布は、第２たて糸と第２よこ糸とから成る織布であり、
連結糸は、
第１たて糸および第１よこ糸のいずれか一方と、
第２たて糸および第２よこ糸のいずれか一方とに、個別的に沿って、
第１たて糸および第１よこ糸のいずれか他方を１または複数本あけて、
その第１たて糸および第１よこ糸の前記いずれか他方をＵ字状に湾曲し、および
第２たて糸および第２よこ糸のいずれか他方を１または複数本あけて、
その第２たて糸および第２よこ糸の前記いずれか他方をＵ字状に湾曲し、
ジグザグに配置される。
【００２４】
本発明のコンクリート製構造物の接合装置に用いられる防水体は次の構成を有する。
【００２５】
第１シートの前記他方の表面に当接する第１布と、
第２シートの前記他方の表面に当接する第２布と、
第１布と第２布とを、間隙をあけて対向して連結する連結糸と、
連結糸によって連結された第１および第２布間に充填され、水に不溶性であるグリス状合成樹脂から成る充填剤とを有し、
第１布は、第１たて糸と第１よこ糸とから成る織布であり、
第２布は、第２たて糸と第２よこ糸とから成る織布であり、
連結糸は、
第１たて糸および第１よこ糸のいずれか一方と、
第２たて糸および第２よこ糸のいずれか一方とに、個別的に沿って、
第１たて糸および第１よこ糸のいずれか他方を１または複数本あけて、
その第１たて糸および第１よこ糸の前記いずれか他方をＵ字状に湾曲し、および
第２たて糸および第２よこ糸のいずれか他方を１または複数本あけて、
その第２たて糸および第２よこ糸の前記いずれか他方をＵ字状に湾曲し、
ジグザグに配置され、
充填剤は、
０．０１〜０．０５ｍｍφの水泡を重量比３０〜５０％程度分散させ、
粘度１０５〜１０６ｃｐｓ程度の低モジュラスの塑性を有し、
エポキシドを主剤とし、モノアミン系硬化剤とし、端末基をアミン基とする
分子量１０４〜１０５であるエポキシ樹脂である。
【００２６】
【発明の実施の形態】
図１は、本発明の実施の一形態の一部の簡略化した断面図である。トンネルなどの一対のコンクリート製構造物１１，１２間に接合体１３が介在されて、コンクリート製構造物の接合装置が実現される。接合体１３は基本的に、第１シート体１４と第２シート体１５と防水体１６とを含む。
【００２７】
本発明の実施の他の形態では、コンクリート製構造物１２，１７に、第１および第２防水体２３，２４とそれらの第１および第２防水体間にわたって設けられるシート体２５とによって、接合体２６を含むコンクリート製構造物の接合装置が実現される。
【００２８】
図２は、接合体１３の拡大断面図である。既設のコンクリート製構造物１１の表面２７（図１に参照）に、第１シート体１４の一方の表面２８が当接して固定される。新たに打設されて形成される他方のコンクリート製構造物１２の表面２９には、第２シート体１５の一方の表面３１が当接して固定される。これらの第１および第２シート体１４，１５は、ゴムまたは合成樹脂などの材料から成り、弾性を有する。
【００２９】
防水体１６は基本的に、第１布３２と第２布３３とこれらの第１および第２布３２，３３を、間隔をあけて対向して連結する連結糸３４と、第１および第２布３２，３３間の空間に充填される充填剤３５とを含む。第１布３２は第１シート１４の他方の表面３６に当接し、第２布３３は第２シート体１５の他方の表面３７に当接する。
【００３０】
図３は第１布３２と第２布３３とそれらを連結する連結糸３４との一部を示す斜視図であり、図４は第１布３２と第２布３３とを示す斜視図であり、図５は第１布３２と第２布３３と連結糸３４とから成る組合せ体３８の簡略化した斜視図である。防水体１６は、組合せ体３８と充填剤３５とを有する。第１布３２は、第１たて糸４１と第２よこ糸４２とを有し、平織された一重の織物である。第２布３３は、第２たて糸４３と第２よこ糸４４とから成る平織された一重の織布である。これらの第１および第２布３２，３３の間隔ｄ１は、たとえば３〜２０ｍｍの範囲内の予め定める一定の値、たとえば５ｍｍであってもよい。
【００３１】
図６は組合せ体３８の正面図であり、図７は図６に示される組合せ体３８の側面図である。図８は本発明の実施の他の形態の組合せ体３８の正面図であり、図９は図８に示される組合せ体３８の側面図である。前述の図３に示される第１および第２布３２，３３の間隔ｄ１は、表１に示されるように、参照符ｄ１１，ｄ１２で図６〜図９に示され、たとえば３ｍｍ、２０ｍｍに選ばれる。
【００３２】
【表１】
2004068490.tif 000003
【００３３】
図６〜図９の組合せ体３８において、連結糸３４は、図７および図９に示されるように第１よこ糸４２と第２よこ糸４４とに、個別的に沿って図７および図９の紙面に垂直な仮想平面内で、図６および図８に示されるように第１たて糸４１および第２たて糸４３を１本または複数本あけて（たとえば図６〜図９の実施の形態では図６および図８に示されるように３本あけて）、その第１たて糸４１および第２たて糸４３をＵ字状に湾曲し、この湾曲部分は、参照符４５，４６でそれぞれ示される。各湾曲部分４５，４６は、１本の第１および第２たて糸４１，４３をＵ字状に湾曲する。各連結糸３４は前述のように個別的な各第１および第２よこ糸４２，４４にそれぞれ対応して、図７および図９の紙面に垂直な複数の前記仮想平面内に存在する。
【００３４】
こうして製造された組合せ体３８を構成する第１布３２は、第１シート体１４の前記他方の表面３６に固定され、第２布３３は第２シート体１５の前記他方の表面３７に固定される。第１および第２シート体１４，１５の前記一方の表面２８，３１が一対の各コンクリート製構造物１１，１２の表面２７，２９に固定された状態とされる。そこで次に、充填剤３５を形成するために、主剤であるエポキシドとモノアミン系硬化剤とを個別的に、これらの第１および第２布３２，３３間に同時に、分散剤とともにノズルなどを用いて注入する。これによって主剤であるエポキシドとモノアミン系硬化剤とが重合反応し、端末基をアミン基とする分子量１０４〜１０５であるエポキシ樹脂が共重合反応して形成される。このような２成分系変成エポキシ樹脂は、室温硬化形であり、主剤と硬化剤とは、低粘度であるので、第１および第２布３２，３３間の空間に円滑に供給することができ、その全量反応の後には、比較的高い粘度１０５〜１０６ｃｐｓ程度であって、低モジュラスの塑性を有する。
【００３５】
図１０は、コンクリート製構造物１１，１２，１７に作用する３次元振動を示す図である。Ｘ，Ｙ，Ｚの各軸の方向に、これらのコンクリート製構造物１１，１２，１７が変位し、接合体１６は、コンクリート製構造物１１，１２間の間隙を充填したままに保ち、雨水、地下水の漏出を防ぐ。
【００３６】
図１１（１）は図１に示されるコンクリート製構造物１１，１２の変位時における防水体１６を示す断面図であり、図１１（２）は前述の図１９〜図２１に示される先行技術の接合体３の断面図である。コンクリート製構造物１１，１２が図１１の矢符４７，４８で示されるように上下に変位したとき、第１および第２シート体１４，１５には応力がほとんど作用することはなく、組合せ体３８が塑性変形する。これに対して図１１（２）に示される先行技術では、図２０に関連して前述したように、スポンジ状発泡体から成る接合体３が弾発的に変形し、残留応力が存在し、このような残留応力に起因して接合体３の耐久力が早期に劣化する。図１１（１）に示される本発明の実施の一形態では、このような図１１（２）の先行技術の問題点を解決し、一対のコンクリート製構造物１１，１２の３次元の相互の変位に拘わらず、残留応力が存在することはなく、耐久性が向上される。
【００３７】
図１２は、一対のコンクリート製構造物１１，１２が上下に相互に変位したときにおける接合体２６を構成する組合せ体３８を簡略化して示す断面図である。組合せ体３８を構成する第１および第２布３２，３３を連結する連結糸３４が充填剤３５内で変位し、残留応力がない三次元の変位が可能である。
【００３８】
図１３は、図１２に示される変位状態とは異なる他の変位状態における組合せ体３８の簡略化した断面図である。連結糸３４が、コンクリート製構造物１１，１２の上下の変位を許容するように、充填剤３５内で変位し、残留応力が生じることはない。
【００３９】
図１を再び参照して、第１および第２防水体２３，２４は、前述の防水体１６と同様な構成を有し、ゴムまたは合成樹脂などの弾発性を有するシート体２５に共通に固定されて、コンクリート製構造物１２，１７間を、これらの第１および第２防水体２３，２４によって接合する。
【００４０】
図１４は、本発明の実施の他の形態の一部の断面図である。第１シート体５１，５２と第２シート体５３との間には、防水体５４，５５が介在される。シート体５１，５２は、たとえば図１に示されるコンクリート製構造物１２，１７の図１における上面に固定される。
【００４１】
図１５は、本発明の実施の他の形態の断面図である。前述のたとえば一対のコンクリート製構造物１１，１２には、第１シート体５７，５８が固定され、防水体５９が介在される。シート体５１，５２；５３：５７，５８は、前述の第１および第２シート体１４，１５と同様な構成を有し、防水体５４，５５；５９は、前述の防水体１６と同様な構成を有する。
【００４２】
図１６は、本発明の実施の他の形態の断面図である。この実施の形態は、前述の図１〜図１５の実施の形態に類似し、対応する部分には同一の参照符を付す。
【００４３】
図１７は、図１６に示される実施の形態の施工順序を示す斜視図である。図１７（１）に示されるコンクリート製構造物１２，１７のうち、一方のコンクリート製構造物１７の上面に、防水体２４が固定され、次に図１７（３）に示されるように防水体２４の上面と他方のコンクリート製構造物１２の上面とにわたって、シート体２５が固定され、こうして接合体が構成される。
【００４４】
図１８は本発明の実施のさらに他の形態の一部の断面図であり、図１９は図１８に示される実施の形態の施工順序を示す斜視図である。図１８および図１９に示される実施の形態も、前述の実施の形態に類似し、対応する部分には同一の参照符を用い、さらに添え字ａ，ｂを用いることがある。複数（たとえば３）のコンクリート製構造物１２，１７，７５は、図１９（１）に示されるように配置され、それらの相互間隔は、ほぼＴ字状の微小な隙間を有する。図１９（２）に示されるように、コンクリート製構造物１２の上面には、防水体２３が配置され、またコンクリート製構造物１７，７５には、隣接する他のコンクリート製構造物１２，１７，７５に対応してＬ字状の水平な形状を有する防水体２４ａ，２４ｂが固定される。次に図１９（３）に示されるようにこれら３つの防水体２３，２４ａ，２４ｂにわたってＴ字状の水平面内の形状を有するシート体２５ａが固定される。
【００４５】
図２０は、本発明の実施のさらに他の形態の施工順序を示す斜視図である。図２０（１）に示されるように複数、たとえば４のコンクリート製構造物１２，１７，７５，７６には、たとえば＋字状の平面形状を有する微小な隙間が存在する。
【００４６】
図２０（２）に示されるように、これらのコンクリート製構造物１２，１７，７５，７６の上面に、Ｌ字状の水平面内の形状を有する防水体２４ｃ〜２４ｆが配置される。これらの防水体２４ｃ〜２４ｆは、隣接する他のコンクリート製構造物１２，１７，７５，７６に対向して臨んでいる。
【００４７】
その後図２０（３）に示されるように、防水体２４ｃ〜２４ｆの上面に、＋字状の水平面内の形状を有するカバー体２６ｂが固定される。図２０に示される構成要素は、前述の実施の形態の対応する部分と同一の参照符を付すとともに、添え字ｂ〜ｆを付して示す。
【００４８】
本発明の実施の他の形態では、シート体２５，２５ａ，２５ｂは、ゴムから成ってもよいが、ＦＲＰ（繊維強化プラスチック）から成ってもよく、またはステンレス鋼などの金属製であってもよい。
【００４９】
図２１は、本発明の実施の一形態の簡略化した断面図である。山６１にはトンネル６２が形成される。このトンネル６２に関して、本発明のコンクリート製構造物の接合装置が実施される。
【００５０】
図２２は、図２１に示されるトンネル６２の分解斜視図である。自動車などの車両が走行する基盤６３には、図２１および図２２の左右に延びる車両の走行方向に沿う軸線に、複数のほぼ逆Ｕ字状に形成されたトンネル部分６４が配置される。トンネル部分６４は、コンクリート製構造物である。トンネル部分６４の軸線方向の隙間に、本発明の接合装置６５を介在し、山６１からの地下水の漏出を防ぐ。基盤６３もまた、コンクリート製構造物であり、トンネル部分６４との間に本発明の接合装置６６が介在されてもよい。
【００５１】
図１８は、本発明の実施のさらに他の形態のトンネル部分６４の分解斜視図である。トンネル部分６４は、逆Ｕ字状の上部分６８と、これらの上部分６８の下端部に連なる一対の下部分６９，７０とを含み、これらの各部材６８，６９，７０はコンクリート製構造物である。上部分６８の下端面と一対の下部分６９，７０の上端面との間に、本発明の接合装置７１，７２が実施される。
【００５２】
本発明は、トンネルだけでなくその他のコンクリート製構造物、たとえば橋などに関連して広範囲に実施することができる。
【００５３】
【発明の効果】
本発明によれば、一対のコンクリート製構造物を、防水体によって接合し、この防水体は、第１および第２布と連結糸と充填剤とを有し、充填剤は低モジュラスの塑性であり、これによって各コンクリート製構造物の相互の３次元の変位を許容し、耐久性に優れた雨水、地下水の漏出を防ぐことができるエキスパンション装置などの接合装置を実現することができるようになる。
【図面の簡単な説明】
【図１】本発明の実施の一形態の一部の簡略化した断面図である。
【図２】接合体１３の拡大断面図である。
【図３】第１布３２と第２布３３とそれらを連結する連結糸３４との一部を示す斜視図である。
【図４】第１布３２と第２布３３とを示す斜視図である。
【図５】第１布３２と第２布３３と連結糸３４とから成る組合せ体３８の簡略化した斜視図である。
【図６】組合せ体３８の正面図である。
【図７】図６に示される組合せ体３８の側面図である。
【図８】本発明の実施の他の形態の組合せ体３８の正面図である。
【図９】図８に示される組合せ体３８の側面図である。
【図１０】コンクリート製構造物１１，１２，１７に作用する３次元振動を示す図である。
【図１１】図１１（１）は図１に示されるコンクリート製構造物１１，１２の変位時における防水体１６を示す断面図であり、図１１（２）は前述の図１９〜図２１に示される先行技術の接合体３の断面図である。
【図１２】一対のコンクリート製構造物１１，１２が上下に相互に変位したときにおける接合体２６を構成する組合せ体３８を簡略化して示す断面図である。
【図１３】図１２に示される変位状態とは異なる他の変位状態における組合せ体３８の簡略化した断面図である。
【図１４】本発明の実施の他の形態の一部の断面図である。
【図１５】本発明の実施の他の形態の断面図である。
【図１６】本発明の実施の他の形態の断面図である。
【図１７】図１６に示される実施の形態の施工順序を示す斜視図である。
【図１８】本発明の実施のさらに他の形態の一部の断面図である。
【図１９】図１８に示される実施の形態の施工順序を示す斜視図である。
【図２０】本発明の実施のさらに他の形態の施工順序を示す斜視図である。
【図２１】本発明の実施の一形態の簡略化した断面図である。
【図２２】図２１に示されるトンネル６２の分解斜視図である。
【図２３】本発明の実施のさらに他の形態のトンネル部分６４の分解斜視図である。
【図２４】典型的な先行技術の一部の断面図である。
【図２５】図２４に示される先行技術の作用状態を示す断面図である。
【図２６】図２４および図２５に示される先行技術における作用状態を示す断面図である。
【符号の説明】
１１，１２，１７　コンクリート製構造物
１３　接合体
１４　第１シート体
１５　第２シート体
１６　防水体
２３　第１防水体
２４　第２防水体
２５　シート体
２６　接合体
３２　第１布
３３　第２布
３４　連結糸
３５　充填剤
３８　組合せ体
４１　第１たて糸
４２　第１よこ糸
４３　第２たて糸
４４　第２よこ糸
４５，４６　湾曲部分
６２　トンネル
６４　トンネル部分
【図１】
2004068490.tif 000004
【図２】
2004068490.tif 000005
【図３】
2004068490.tif 000006
【図４】
2004068490.tif 000007
【図５】
2004068490.tif 000008
【図６】
2004068490.tif 000009
【図７】
2004068490.tif 000010
【図８】
2004068490.tif 000011
【図９】
2004068490.tif 000012
【図１０】
2004068490.tif 000013
【図１１】
2004068490.tif 000014
【図１２】
2004068490.tif 000015
【図１３】
2004068490.tif 000016
【図１４】
2004068490.tif 000017
【図１５】
2004068490.tif 000018
【図１６】
2004068490.tif 000019
【図１７】
2004068490.tif 000020
【図１８】
2004068490.tif 000021
【図１９】
2004068490.tif 000022
【図２０】
2004068490.tif 000023
【図２１】
2004068490.tif 000024
【図２２】
2004068490.tif 000025
【図２３】
2004068490.tif 000026
【図２４】
2004068490.tif 000027
【図２５】
2004068490.tif 000028
【図２６】
2004068490.tif 000029